(57)【要約】高分子量分散剤と結合芳香族オリゴマーを含むすす分散剤の組み合わせを含む、優れたすす分散特性を与える潤滑油組成物。
2004522837.tif 000002
【特許請求の範囲】
【請求項１】
多量の潤滑粘度の油、少量の高分子量の、窒素含有分散剤、及び少量の式：
【化１】
2004522837.tif 000011
のオリゴマーを含むことを特徴とする潤滑油組成物。
〔式中、
夫々のＡｒは独立に多核炭素環基、単核複素環基及び多核複素環基から選ばれた芳香族基を表し、前記芳香族基は必要によりＨ、−ＯＲ１、−Ｎ（Ｒ１）２、Ｆ、Ｃｌ、Ｂｒ、Ｉ、−（Ｌ−（Ａｒ）−Ｔ）、−Ｓ（Ｏ）ｗＲ１、−（ＣＺ）ｘ−（Ｚ）ｙ−Ｒ１及び−（Ｚ）ｙ−（ＣＺ）ｘ−Ｒ１〔式中、ｗは０〜３であり、夫々のＺは独立にＯ、−Ｎ（Ｒ１）２又はＳであり、ｘ及びｙは独立に０又は１であり、かつ夫々のＲ１は独立にＨ又は必要により−ＯＲ２、−Ｎ（Ｒ２）２、Ｆ、Ｃｌ、Ｂｒ、Ｉ、−Ｓ（Ｏ）ｗＲ２、−（ＣＺ）ｘ−（Ｚ）ｙ−Ｒ２及び−（Ｚ）ｙ−（ＣＺ）ｘ−Ｒ２（式中、ｗ、ｘ、ｙ及びＺは先に定義されたとおりであり、かつＲ２は１〜約２００個の炭素原子を有するヒドロカルビル基である）から選ばれた一つ以上の基で一置換又は多置換されていてもよい、１〜約２００個の炭素原子を有する線状又は分岐、飽和又は不飽和ヒドロカルビル基である〕から選ばれた１〜６個の置換基により置換されていてもよく、
夫々のＬは独立に炭素−炭素単結合又は結合基を含む結合部分であり、
夫々のＴは独立にＨ、ＯＲ１、Ｎ（Ｒ１）２、Ｆ、Ｃｌ、Ｂｒ、Ｉ、−Ｓ（Ｏ）ｗＲ１、（ＣＺ）ｘ−（Ｚ）ｙ−Ｒ１又は（Ｚ）ｙ−（ＣＺ）ｘ−Ｒ１（式中、Ｒ１、ｗ、ｘ、ｙ及びＺは先に定義されたとおりである）であり、かつ
ｎは２〜約１０００であり、
芳香族基（Ａｒ）の少なくとも２５％が少なくとも２個の結合部分（Ｌ）に連結され、かつオリゴマー中の脂肪族炭素原子の合計数対芳香族基（Ａｒ）中の芳香族環原子の合計数の比は約０．１０：１から約４０：１までである〕
【請求項２】
オリゴマー中の脂肪族炭素原子の合計数対芳香族基（Ａｒ）中の芳香族環原子の合計数の前記比が約４：１から約７：１までである請求項１記載の潤滑油組成物。
【請求項３】
芳香族基（Ａｒ）の少なくとも６０％が置換されている請求項１記載の潤滑油組成物。
【請求項４】
ヒドロカルビル基Ｒ１及びＲ２が１個から約３０個までの炭素原子を有する請求項１記載の潤滑油組成物。
【請求項５】
前記結合部分（Ｌ）の夫々が独立にアルキレン結合、エーテル結合、エステル結合、酸無水物結合、エーテル−アシル結合、エーテルエステル結合、アシル−エステル結合、アミノ結合、アミド結合、カルバミド結合、ウレタン結合及び硫黄結合から選ばれ、結合基の夫々が必要によりＯＲ１、Ｎ（Ｒ１）２、Ｆ、Ｃｌ、Ｂｒ、Ｉ、Ｓ（Ｏ）ｗＲ１、（ＣＺ）ｘ−（Ｚ）ｙ−Ｒ１又は（Ｚ）ｙ−（ＣＺ）ｘ−Ｒ１（式中、ｗ、Ｚ及びＲ１は請求項１に定義されたとおりである）で一置換又は多置換されていてもよい請求項１記載の潤滑油組成物。
【請求項６】
前記結合部分がアルキレン結合−ＣＨ３ＣＨＣ（ＣＨ３）２−及び−Ｃ（ＣＨ３）２−、ジアシル結合−ＣＯＣＯ−及び−ＣＯ（ＣＨ２）４ＣＯ−、並びに硫黄結合−Ｓ１−及び−Ｓ２−から選ばれる請求項５記載の潤滑油組成物。
【請求項７】
芳香族基（Ａｒ）がナフタレン及びキノリンから選ばれる請求項１記載の潤滑油組成物。
【請求項８】
前記高分子量分散剤が約０．００８重量％から約０．３２重量％までの窒素を与える量で存在し、かつ前記オリゴマーが潤滑油組成物の合計重量に基づいて約０．００５重量％から約１０重量％までの量で存在する請求項１記載の潤滑油組成物。
【請求項９】
下記式で表されるのオリゴマー。
【化２】
2004522837.tif 000012
〔式中、
夫々のＡｒは独立に多核炭素環基、単核複素環基及び多核複素環基から選ばれた芳香族基を表し、前記芳香族基は必要によりＨ、−ＯＲ４、−Ｎ（Ｒ４）２、Ｆ、Ｃｌ、Ｂｒ、Ｉ、−（Ｌ−（Ａｒ）−Ｔ）、−Ｓ（Ｏ）ｗＲ４、−（ＣＺ）ｘ−（Ｚ）ｙ−Ｒ４及び−（Ｚ）ｙ−（ＣＺ）ｘ−Ｒ４〔式中、ｗは０〜３であり、夫々のＺは独立にＯ、−Ｎ（Ｒ４）２又はＳであり、ｘ及びｙは独立に０又は１であり、かつ夫々のＲ４は独立にＨ、メチル、エチル、プロピル又は必要により−ＯＲ４、−Ｎ（Ｒ４）２、Ｆ、Ｃｌ、Ｂｒ、Ｉ、−Ｓ（Ｏ）ｗＲ４、−（ＣＺ）ｘ−（Ｚ）ｙ−Ｒ４及び−（Ｚ）ｙ−（ＣＺ）ｘ−Ｒ４（式中、ｗ、ｘ、ｙ及びＺは先に定義されたとおりである）から選ばれた一つ以上の基で一置換又は多置換されていてもよい、３〜２００個の炭素原子を有する分岐ヒドロカルビル基である〕から選ばれた１〜６個の置換基により置換されていてもよく、
夫々のＬは独立に炭素−炭素単結合又は結合基を含む結合部分であり、
夫々のＴは独立にＨ、ＯＲ１、Ｎ（Ｒ４）２、Ｆ、Ｃｌ、Ｂｒ、Ｉ、Ｓ（Ｏ）ｗＲ４、（ＣＺ）ｘ−（Ｚ）ｙ−Ｒ４又は（Ｚ）ｙ−（ＣＺ）ｘ−Ｒ４（式中、Ｒ４、ｗ、ｘ、ｙ及びＺは先に定義されたとおりである）であり、かつ
ｎは２〜約１０００であり、
芳香族基（Ａｒ）の少なくとも２５％が少なくとも２個の結合部分（Ｌ）に連結され、かつオリゴマー中の脂肪族炭素原子の合計数対芳香族基（Ａｒ）中の芳香族環原子の合計数の比は約０．１０：１から約４０：１までである〕
【請求項１０】
オリゴマー中の脂肪族炭素原子の合計数対芳香族基（Ａｒ）中の芳香族環原子の合計数の前記比が約４：１から約７：１までである請求項９記載のオリゴマー。
【請求項１１】
芳香族基（Ａｒ）の少なくとも６０％が置換されている請求項９記載のオリゴマー。
【請求項１２】
ヒドロカルビル基Ｒ４及びＲ５が１個から約３０個までの炭素原子を有する請求項９記載のオリゴマー。
【請求項１３】
前記結合部分（Ｌ）の夫々が独立にアルキレン結合、エーテル結合、エステル結合、酸無水物結合、エーテル−アシル結合、エーテルエステル結合、アシル−エステル結合、アミノ結合、アミド結合、カルバミド結合、ウレタン結合及び硫黄結合から選ばれ、結合基の夫々が必要によりＯＲ１、Ｎ（Ｒ１）２、Ｆ、Ｃｌ、Ｂｒ、Ｉ、Ｓ（Ｏ）ｗＲ１、（ＣＺ）ｘ−（Ｚ）ｙ−Ｒ１又は（Ｚ）ｙ−（ＣＺ）ｘ−Ｒ１（式中、ｗ、Ｚ及びＲ１は請求項１に定義されたとおりである）で一置換又は多置換されていてもよい請求項９記載のオリゴマー。
【請求項１４】
前記結合部分がアルキレン結合−ＣＨ３ＣＨＣ（ＣＨ３）２−及び−Ｃ（ＣＨ３）２−、ジアシル結合−ＣＯＣＯ−及び−ＣＯ（ＣＨ２）４ＣＯ−、並びに硫黄結合−Ｓ１−及び−Ｓ２−から選ばれる請求項１３記載のオリゴマー。
【請求項１５】
芳香族基（Ａｒ）がナフタレン及びキノリンから選ばれる請求項９記載のオリゴマー。
【発明の詳細な説明】
【０００１】
（技術分野）
本発明はクランクケース潤滑油組成物に関する。更に詳しくは、本発明は添加剤窒素の低減されたレベルとともに、潤滑油組成物を工業規格Ｔ８試験に合格させるのに充分なすす分散特性を示す潤滑油組成物に関する。
【０００２】
（背景技術）
潤滑油組成物は多量のベースオイル及び性能を改良し、潤滑剤の有効寿命を増大する添加剤を含む。窒素含有分散剤が普通に使用される潤滑剤添加剤である。分散剤の作用は油の使用中に酸化及びその他のメカニズムにより生成された不溶性物質を油中の懸濁状態に維持し、スラッジ凝集及び不溶性物質の沈殿を防止することである。分散剤の別の作用はすす粒子の凝集を減少し、こうして使用後の潤滑油の粘度の増大を低下することである。改良されたすす分散性を含む、改良された性能を与えるクランクケース潤滑剤が、絶えず要求されていた。
すす分散性を改良するために、その工業は高分子量物質（これらは低分子量物質と較べて優れた分散性特性を有する）を使用し、またその高分子量分散剤を更に増加する量で使用することに移行していた。しかしながら、分散剤は高価である。更に、高分子量の、窒素含有分散剤を生成するための普通の方法は残留塩素を残し、これが分散剤とともに潤滑剤に導入される。塩素の存在は使用した潤滑剤の廃棄による問題をもたらし、低減された量の塩素を含む潤滑剤が要求されていた。また、一層大きいレベルの高分子量分散剤はまた過塩基化（ｏｖｅｒｂａｓｅｄ）洗剤を含む潤滑剤中で良くブレンドしない。更に、分散剤からの高レベルの塩基性アミンは使用中のエンジン内のシールの劣化に寄与する。それ故、低減された量の高分子量の、窒素含有分散剤を使用する適当なすす分散性特性を有する潤滑剤を提供することは有利であろう。
【０００３】
Ｄａｖｉｓらの米国特許第１，８１５，０２２号（１９３１年）はナフタレンのフリーデルクラフトアルキル化により生成されたナフタレンと実質的に線状の塩素化ワックスの縮合物を開示している。このような化合物はワックス結晶改質剤又は潤滑油流動性改良剤（ＬＯＦＩ）添加剤と同様に作用すると記載され、油に添加されてその低温流動特性を改良した。これらの化合物は長年にわたって使用されておらず、また高塩素含量のために、これらの化合物は最新の乗用車、又は重負荷ディーゼルモーターオイル配合物中の使用に不適と考えられるであろう。最新の配合物では、これらの化合物はフマレート／酢酸ビニルコポリマー又はポリメタクリレートをベースとするＬＯＦＩにより取って代わられていた。
Ｄａｖｉｓの米国特許第４，７０８，８０９号は式：
（Ｒ）ａ−Ａｒ−（ＯＨ）ｂ
（式中、Ｒは１０個以上の脂肪族炭素原子を有する飽和炭化水素基であり、ａ及びｂは夫々独立にＡｒ中に存在する芳香族核の数の１〜３倍であり、かつＡｒは必要により置換されていてもよい単一の、縮合又は結合された多核環基である）
のフェノール化合物を含む潤滑油組成物を記載している。燃料と混合される潤滑剤組成物への少量のこのような化合物の添加は２サイクルエンジン中でピストンリング粘着の低減をもたらすであろうと主張されている。
【０００４】
（発明の開示）
本発明は、短く要約すると、多量の潤滑粘度の油、少量の高分子量の、窒素含有分散剤、及び潤滑組成物に改良されたすす分散特性を与えるのに充分な量の油溶性、又は油分散性の芳香族ヒドロカルビルオリゴマーを含むことを特徴とするクランクケース潤滑油に関する。
【０００５】
（発明を実施するための最良の形態）
本発明の潤滑油組成物は多量の潤滑粘度の油を含む。本発明に関して有益な潤滑粘度の油は天然潤滑油、合成潤滑油及びこれらの混合物から選ばれてもよい。潤滑油は軽質蒸留物鉱油から重質潤滑油、例えば、ガソリンエンジンオイル、鉱物潤滑油及び重負荷ディーゼルオイルまでの粘度の範囲であってもよい。一般に、油の粘度は１００℃で測定して、約２センチストークから約４０センチストークまで、特に約４センチストークから約２０センチストークまでの範囲である。
天然油として、動物油及び植物油（例えば、ヒマシ油、ラード油）；液体石油並びにパラフィン型、ナフテン型及び混合パラフィン−ナフテン型のハイドロリファイニングされ、溶剤処理され、又は酸処理された鉱油が挙げられる。
合成潤滑油として、炭化水素油及びハロ置換炭化水素油、例えば、重合オレフィン及び共重合オレフィン（例えば、ポリブチレン、ポリプロピレン、プロピレン−イソブチレンコポリマー、塩素化ポリブチレン、ポリ（１−ヘキセン）、ポリ（１−オクテン）、ポリ（１−デセン）；アルキルベンゼン（例えば、ドデシルベンゼン、テトラデシルベンゼン、ジノニルベンゼン、ジ（２−エチルヘキシル）ベンゼン）；ポリフェニル（例えば、ビフェニル、ターフェニル、アルキル化ポリフェノール）；並びにアルキル化ジフェニルエーテル及びアルキル化ジフェニルスルフィド並びにこれらの誘導体、類似体及び同族体が挙げられる。
【０００６】
アルキレンオキサイドポリマー並びにこれらの共重合体及び誘導体（その場合、末端ヒドロキシル基がエステル化、エーテル化等により変性されていた）が既知の合成潤滑油の別のクラスを構成する。これらはエチレンオキサイド又はプロピレンオキサイド、並びにポリオキシアルキレンポリマーのアルキルエーテル及びアリールエーテル（例えば、１０００の分子量を有するメチル−ポリイソ−プロピレングリコールエーテル又は１０００−１５００の分子量を有するポリ−エチレングリコールのジフェニルエーテル）の重合により調製されたポリオキシアルキレンポリマー；及びこれらのモノカルボン酸エステル及びポリカルボン酸エステル、例えば、テトラエチレングリコールの酢酸エステル、混合Ｃ３−Ｃ８脂肪酸エステル及びＣ１３オキソ酸ジエステルにより例示される。
合成潤滑油の別の好適なクラスとして、種々のアルコール（例えば、ブチルアルコール、ヘキシルアルコール、ドデシルアルコール、２−エチルヘキシルアルコール、エチレングリコール、ジエチレングリコールモノエーテル、プロピレングリコール）とのジカルボン酸（例えば、フタル酸、コハク酸、アルキルコハク酸及びアルケニルコハク酸、マレイン酸、アゼライン酸、スベリン酸、セバシン酸、フマル酸、アジピン酸、リノール酸二量体、マロン酸、アルキルマロン酸、アルケニルマロン酸）のエステルが挙げられる。このようなエステルの特別な例として、ジブチルアジピート、ジ（２−エチルヘキシル）セバケート、ジ−ｎ−ヘキシルフマレート、ジオクチルセバケート、ジイソオクチルアゼレート、ジイソデシルアゼレート、ジオクチルフタレート、ジデシルフタレート、ジエイコシルセバケート、リノール酸二量体の２−エチルヘキシルジエステル、及び１モルのセバチン酸を２モルのテトラエチレングリコール及び２モルの２−エチルヘキサン酸と反応させることにより生成された複雑なエステルが挙げられる。
【０００７】
また、合成油として有益なエステルとして、Ｃ５−Ｃ１２モノカルボン酸及びポリオール並びにポリオールエステル、例えば、ネオペンチルグリコール、トリメチロールプロパン、ペンタエリスリトール、ジペンタエリスリトール及びトリペンタエリスリトールからつくられたエステルが挙げられる。
シリコンをベースとする油、例えば、ポリアルキルシリコーン油、ポリアリールシリコーン油、ポリアルコキシシリコーン油又はポリアリールオキシシリコーン油及びシリケート油が合成潤滑剤の別の有益なクラスを構成する。このような油として、テトラエチルシリケート、テトライソプロピルシリケート、テトラ−（２−エチルヘキシル）シリケート、テトラ−（４−メチル−２−エチルヘキシル）シリケート、テトラ−（ｐ−ｔｅｒｔ−ブチル−フェニル）シリケート、ヘキサ−（４−メチル−２−エチルヘキシル）ジシロキサン、ポリ（メチル）シロキサン及びポリ（メチルフェニル）シロキサンが挙げられる。その他の合成潤滑油として、リン含有酸の液体エステル（例えば、トリクレジルホスフェート、トリオクチルホスフェート、デシルホスホン酸のジエチルエステル）及びポリマーテトラヒドロフランが挙げられる。
【０００８】
未精製油、精製油及び再精製油が本発明の潤滑剤中に使用し得る。未精製油は更なる精製処理をしないで天然源又は合成源から直接得られたものである。例えば、レトルト操作から直接得られたシェール油；蒸留から直接得られた石油；又はエステル化から直接得られ、更に処理しないで使用されるエステル油が未精製油であろう。精製油はその油が一つ以上の性質を改良するために一つ以上の精製工程で更に処理される以外は未精製油と同様である。多くのこのような精製技術、例えば、蒸留、溶剤抽出、酸又は塩基抽出、濾過及びパーコレーションが当業者に知られている。再精製油は精製油を得るのに使用されたのと同様の方法により得られるが、既にサービスで使用された油で開始する方法により得られる。このような再精製油はまた再生油又は再処理油として知られており、しばしば使用済み添加剤及び油分解生成物を除去するための技術を使用する付加的な加工にかけられる。
【０００９】
高分子量分散剤
本発明に関して有益な高分子量分散剤として、潤滑油に添加された場合に、ガソリン及びディーゼルエンジン中の使用後の付着物の形成を減少するのに有効であると知られている高分子量範囲の無灰（金属を含まない）分散剤が挙げられる。本発明の組成物に有益な無灰の、高分子量分散剤は分散すべき粒子と会合することができる官能基を有する油溶性ポリマー長鎖主鎖を含む。典型的には、このような分散剤は、しばしばブリッジ基を介して、ポリマー主鎖に結合されたアミン極性部分、アルコール極性部分、アミド極性部分又はエステル極性部分を含む。無灰の、高分子量分散剤は、例えば、長鎖炭化水素置換モノカルボン酸及びポリカルボン酸又はこれらの酸無水物の油溶性塩、エステル、アミノ−エステル、アミド、イミド及びオキサゾリン；長鎖炭化水素のチオカルボキシレート誘導体；直接結合されたポリアミン部分を有する長鎖脂肪族炭化水素；並びに長鎖置換フェノールをホルムアルデヒド及びポリアルキレンポリアミンと縮合することにより生成されたマンニッヒ縮合生成物から選ばれてもよい。
【００１０】
“高分子量”分散剤は４，０００以上、例えば、４，０００〜２０，０００の数平均分子量を有するものである。正確な分子量範囲は分散剤を生成するのに使用されるポリマーの型、存在する官能基の数、及び使用される極性官能基の型に依存するであろう。例えば、ポリイソブチレン誘導体化分散剤について、高分子量分散剤は約１６８０〜約５６００の数平均分子量を有するポリマー主鎖で形成されたものである。典型的な市販のポリイソブチレンをベースとする分散剤は無水マレイン酸（ＭＷ＝９８）で官能化され、約１００〜約３５０の分子量を有するポリアミンで誘導体化された、約９００から約２３００までの範囲の数平均分子量を有するポリイソブチレンポリマーを含む。また、低分子量のポリマーが多くのポリマー鎖を分散剤に入れることにより高分子量分散剤を生成するのに使用されてもよく、これは当業界で知られている方法を使用して行ない得る。
ポリマー分子量、特にＭｎは、種々の既知の技術により測定し得る。一つの便利な方法はゲル透過クロマトグラフィー（ＧＰＣ）であり、これは分子量分布情報を更に与える（Ｗ．Ｗ． Ｙａｕ、Ｊ．Ｊ． Ｋｉｒｋｌａｎｄ及びＤ．Ｄ． Ｂｌｙ， “最新サイズ排除液体クロマトグラフィー”， Ｊｏｈｎ Ｗｉｌｅｙ ａｎｄ Ｓｏｎｓ， Ｎｅｗ Ｙｏｒｋ， １９７９を参照のこと）。アミン含有分散剤（例えば、ＰＩＢＳＡポリアミン又はＰＩＢＳＡ−ＰＡＭ）の分子量が測定されている場合、アミンの存在は分散剤をカラムにより吸着させ、不正確な分子量測定をもたらすかもしれない。ＧＰＣ装置の操作を良く知っている者はこの問題が混合溶媒系、例えば、純粋なＴＨＦとは反対に少量のピリジンと混合されたテトラヒドロフラン（ＴＨＦ）を使用することにより排除し得ることを理解している。また、その問題はアミンを無水酢酸でキャップし、キャッピング基の数に基づいて分子量を修正することにより取り組まれてもよい。特に低分子量ポリマーについて、分子量を測定するための別の有益な方法は、蒸気圧浸透圧法（例えば、ＡＳＴＭ Ｄ３５９２を参照のこと）である。
ポリマーの重合度Ｄｐは
【００１１】
【数１】
2004522837.tif 000003
【００１２】
本発明に使用されるポリマー主鎖の重合度は少なくとも３０であることが好ましく、典型的には３０〜１６５であり、３５〜１００であることが更に好ましい。
本発明に使用される好ましい炭化水素又はポリマーとして、ホモポリマー、共重合体又は低分子量炭化水素が挙げられる。有益なポリマーの一つのファミリーとして、エチレン及び／又は式Ｈ２Ｃ＝ＣＨＲ１（式中、Ｒ１は１〜２６個の炭素原子を含む直鎖又は分岐鎖アルキル基である）を有する少なくとも一種のＣ３−Ｃ２８α−オレフィンのポリマーが挙げられ、そのポリマーは炭素−炭素不飽和、好ましくは高度の末端エテニリデン不飽和を含む。本発明に使用されるこのようなポリマーの一つの好ましいクラスとして、エチレンと上記式（式中、Ｒ１は１〜１８個の炭素原子のアルキル、更に好ましくは１〜８個の炭素原子のアルキル、更に好ましくは１〜２個の炭素原子のアルキルである）の少なくとも一種のα−オレフィンの共重合体が挙げられる。それ故、有益なα−オレフィンモノマー及びコモノマーとして、例えば、プロピレン、ブテン−１、ヘキセン−１、オクテン−１、４−メチルペンテン−１、デセン−１、ドデセン−１、トリデセン−１、テトラデセン−１、ペンタデセン−１、ヘキサデセン−１、ヘプタデセン−１、オクタデセン−１、ノナデセン−１、及びこれらの混合物（例えば、プロピレンとブテン−１の混合物、等）が挙げられる。
【００１３】
このようなポリマーの例はプロピレンホモポリマー、ブテン−１ホモポリマー、プロピレン−ブテンコポリマー、エチレン−プロピレンコポリマー、エチレン−ブテン−１コポリマー等であり、そのポリマーは少なくとも幾つかの末端及び／又は内部の不飽和を含む。好ましいポリマーはエチレンとプロピレンの不飽和コポリマー及びエチレンとブテン−１の不飽和コポリマーである。本発明の共重合体は少量、例えば、０．５〜５モル％のＣ４−Ｃ１８非共役ジオレフィンコモノマーを含んでもよい。しかしながら、本発明のポリマーはα−オレフィンホモポリマー、α−オレフィンコモノマーの共重合体及びエチレンとα−オレフィンコモノマーの共重合体のみを含むことが好ましい。本発明に使用されるポリマーのモルエチレン含量は２０〜８０％、更に好ましくは３０〜７０％の範囲であることが好ましい。プロピレン及び／又はブテン−１がエチレンとの一種以上のコモノマーとして使用される場合、このようなポリマーのエチレン含量は４５〜６５％であることが最も好ましいが、それより高い又は低いエチレン含量が存在してもよい。
【００１４】
これらのポリマーは少なくとも一種のメタロセン（例えば、シクロペンタジエニル−遷移金属化合物）及びアルモキサン化合物を含む触媒系の存在下で、α−オレフィンモノマー、もしくはα−オレフィンモノマーの混合物、又はエチレンと少なくとも一種のＣ３−Ｃ２８α−オレフィンモノマーの混合物を重合することにより調製し得る。この方法を使用して、ポリマー鎖の９５％以上が末端エテニリデン型不飽和を有するポリマーが得られる。末端エテニリデン不飽和を示すポリマー鎖の％はＦＴＩＲ分光分析、滴定、又はＣ１３ ＮＭＲにより測定し得る。この後者の型の共重合体は式ＰＯＬＹ−Ｃ（Ｒ１）＝ＣＨ２（式中、Ｒ１はＣ１−Ｃ２６アルキル、好ましくはＣ１−Ｃ１８アルキル、更に好ましくはＣ１−Ｃ８アルキル、最も好ましくはＣ１−Ｃ２アルキル（例えば、メチル又はエチル）であり、ＰＯＬＹはポリマー鎖を表す）を特徴とし得る。Ｒ１アルキル基の鎖長は重合中の使用に選ばれた一種以上のコモノマーに応じて変化するであろう。少量のポリマー鎖は末端エテニル、即ち、ビニル、不飽和、即ち、ＰＯＬＹ−ＣＨ＝ＣＨ２を含むことができ、またポリマーの一部が内部モノ不飽和、例えば、ＰＯＬＹ−ＣＨ＝ＣＨ（Ｒ１）（式中、Ｒ１は先に定義されたとおりである）を含むことができる。これらの末端不飽和共重合体は既知のメタロセン化学により調製されてもよく、また米国特許第５，４９８，８０９号、同第５，６６３，１３０号、同第５，７０５，５７７号、同第５，８１４，７１５号、同第６，０２２，９２９号及び同第６，０３０，９３０号に記載されたようにして調製されてもよい。
【００１５】
ポリマーの別の有益なクラスはイソブテン、スチレン、等のカチオン重合により調製されたポリマーである。このクラスからの普通のポリマーとして、ルイス酸触媒、例えば、三塩化アルミニウム又は三フッ化ホウ素の存在下の約３５重量％〜約７５重量％までのブテン含量、及び約３０重量％〜約６０重量％のイソブテン含量を有するＣ４精油所流の重合により得られたポリイソブテンが挙げられる。ポリ−ｎ−ブテンを製造するのに好ましいモノマーの源はラフィネートＩＩの如き石油供給原料である。これらの供給原料は米国特許第４，９５２，７３９号の如き技術に開示されている。ポリイソブチレンが本発明の最も好ましい主鎖である。何とならば、それはブテン流からカチオン重合（例えば、ＡｌＣｌ３又はＢＦ３触媒を使用する）により容易に得られるからである。このようなポリイソブチレンは一般に鎖に沿って配置された、ポリマー鎖当り約１個のエチレン性二重結合の量の残留不飽和を含む。
上記のように、使用されるポリイソブチレンポリマーは一般に約９００〜２，３００の炭化水素鎖をベースとする。ポリイソブチレンの製造方法は知られている。ポリイソブチレンはハロゲン化（例えば、塩素化）、熱“エン”反応、又は以下に記載されるような触媒（例えば、過酸化物）を使用する遊離基グラフト化により官能化し得る。
【００１６】
ポリマー炭化水素を不飽和カルボン酸、その酸無水物又はエステルと反応させる方法及びこのような化合物からの誘導体の調製が米国特許第３，０８７，９３６号、同第３，１７２，８９２号、同第３，２１５，７０７号、同第３，２３１，５８７号、同第３，２７２，７４６号、同第３，２７５，５５４号、同第３，３８１，０２２号、同第３，４４２，８０８号、同第３，５６５，８０４号、同第３，９１２，７６４号、同第４，１１０，３４９号、同第４，２３４，４３５号、及びＧＢ−Ａ−１，４４０，２１９に開示されている。そのポリマー又は炭化水素は、例えば、ハロゲン補助官能化（例えば、塩素化）方法又は熱“エン”反応を使用して主として炭素−炭素不飽和（またエチレン性不飽和又はオレフィン性不飽和と称される）の部位におけるポリマー鎖又は炭化水素鎖への官能性部分又は薬剤、即ち、酸、酸無水物、エステル部分等の付加を生じる条件下でポリマー又は炭化水素を反応させることによりカルボン酸を生じる部分（好ましくは酸又は酸無水物）で官能化されてもよい。
触媒（例えば、過酸化物）を使用する遊離基グラフト化方法を使用する場合、官能化はポリマー鎖に沿ってランダムに行なわれる。選択的官能化は塩素又は臭素を６０〜２５０℃、好ましくは１１０〜１６０℃、例えば、１２０〜１４０℃の温度で約０．５〜１０時間、好ましくは１〜７時間にわたってポリマーに通すことにより、不飽和α−オレフィンポリマーをポリマー又は炭化水素の重量に基づいて約１〜８重量％、好ましくは３〜７重量％の塩素、又は臭素までハロゲン化、例えば、塩素化又は臭素化することにより行ない得る。次いでハロゲン化ポリマー又は炭化水素（以下主鎖と称する）が１００〜２５０℃、通常約１８０℃〜２３５℃で、約０．５〜１０時間、例えば、３〜８時間にわたって、官能性部分を主鎖に付加することができる充分なモノ不飽和反応体、例えば、モノ不飽和カルボン酸反応体と反応させられ、その結果、得られる生成物はハロゲン化主鎖１モル当り所望のモル数のモノ不飽和カルボン酸反応体を含むであろう。また、主鎖及びモノ不飽和カルボン酸反応体が混合され、塩素をその熱い物質に添加する間に加熱し得る。
【００１７】
炭化水素又はポリマー主鎖は、例えば、上記の三つの方法、又はあらゆる順序の、これらの組み合わせを使用してポリマーもしくは炭化水素鎖の炭素−炭素不飽和の部位で選択的に、又は鎖に沿ってランダムにカルボン酸を生じる部分（好ましくは酸部分又は酸無水物部分）で官能化し得る。
主鎖を官能化するのに使用される好ましいモノ不飽和反応体として、（ｉ）モノ不飽和Ｃ４−Ｃ１０ジカルボン酸（（ａ）そのカルボキシル基は近接であり（即ち、隣接炭素原子に配置され）、かつ（ｂ）前記隣接炭素原子の少なくとも一つ、好ましくは両方が前記モノ不飽和の一部である）；（ｉｉ）（ｉ）の誘導体、例えば、（ｉ）の酸無水物又はＣ１−Ｃ５アルコール誘導モノエステルもしくはジエステル；（ｉｉｉ）モノ不飽和Ｃ３−Ｃ１０モノカルボン酸（その炭素−炭素二重結合はカルボキシ基と共役され、即ち、構造−Ｃ＝Ｃ−ＣＯ−のものである）；及び（ｉｖ）（ｉｉｉ）の誘導体、例えば、（ｉｉｉ）のＣ１−Ｃ５アルコール誘導モノエステル又はジエステルを含む、モノカルボン酸物質及びジカルボン酸物質、即ち、酸、酸無水物、又は酸エステル物質が挙げられる。また、モノカルボン酸物質（ｉ）−（ｉｖ）の混合物が使用されてもよい。主鎖との反応後に、モノ不飽和カルボン酸反応体のモノ不飽和が飽和されるようになる。こうして、例えば、無水マレイン酸が主鎖置換無水コハク酸になり、アクリル酸が主鎖置換プロピオン酸になる。このようなモノ不飽和カルボン酸反応体の例はフマル酸、イタコン酸、マレイン酸、無水マレイン酸、クロロマレイン酸、クロロ無水マレイン酸、アクリル酸、メタクリル酸、クロトン酸、ケイ皮酸、及び以上の物質の低級アルキル（例えば、Ｃ１−Ｃ４アルキル）酸エステル、例えば、マレイン酸メチル、フマル酸エチル、及びフマル酸メチルである。モノ不飽和カルボン酸反応体、好ましくは無水マレイン酸は、典型的にはポリマー又は炭化水素の重量を基準として、約０．０１重量％〜約２０重量％、好ましくは０．５〜１０重量％の範囲の量で使用されるであろう。
【００１８】
塩素化は通常モノ不飽和官能化反応体との出発オレフィンポリマーの反応性を増大することを助けるが、それは本発明における使用に意図されるポリマー又は炭化水素、特に高い末端結合含量及び反応性を有するこれらの好ましいポリマー又は炭化水素では必要ではない。それ故、主鎖及びモノ不飽和官能性反応体、例えば、カルボン酸反応体が高温で接触されて初期の熱“エン”反応を生じさせることが好ましい。エン反応は知られている。
炭化水素又はポリマー主鎖は種々の方法によりポリマー鎖に沿った官能部分のランダム結合により官能化し得る。例えば、溶液中又は固体形態の、ポリマーが遊離基開始剤の存在下で、上記のように、モノ不飽和カルボン酸反応体でグラフト化し得る。溶液中で行なわれる場合、グラフト化は約１００〜２６０℃、好ましくは１２０〜２４０℃の範囲の高温で起こる。遊離基開始グラフト化は、初期の全油溶液を基準として、例えば、１〜５０重量％、好ましくは５〜３０重量％のポリマーを含む潤滑鉱油溶液中で行なわれることが好ましい。
【００１９】
使用し得る遊離基開始剤は過酸化物、ヒドロペルオキシド、及びアゾ化合物、好ましくは約１００℃より高い沸点を有し、グラフト温度範囲内で熱分解して遊離基を与えるものである。これらの遊離基開始剤の代表はアゾブチロニトリル、２，５−ジメチルヘキサ−３−エン−２，５−ビス−ターシャリー−ブチルペルオキシド及びジクメンペルオキシドである。開始剤は、使用される場合、典型的には反応混合物溶液の重量を基準として０．００５重量％〜１重量％の量で使用される。典型的には、上記モノ不飽和カルボン酸反応体物質及び遊離基開始剤は約１．０：１から３０：１まで、好ましくは３：１から６：１までの重量比範囲で使用される。グラフト化は不活性雰囲気中、例えば、窒素シール下で行なわれることが好ましい。得られるグラフトポリマーはポリマー鎖に沿ってランダムに結合されたカルボン酸（又はエステルもしくは酸無水物）部分を有することを特徴とする。勿論、ポリマー鎖の一部はグラフトされずに残ることが理解される。上記遊離基グラフト化は本発明のその他のポリマー及び炭化水素に使用し得る。
【００２０】
次いで官能化された油溶性ポリマー炭化水素主鎖は更に求核性反応体、例えば、アミン、アミノ−アルコール、アルコール、金属化合物、又はこれらの混合物で誘導体化されて相当する誘導体を生成し得る。官能化ポリマーを誘導体化するのに有益なアミン化合物は少なくとも一種のアミンを含み、一つ以上の付加的なアミン又はその他の反応性基もしくは極性基を含み得る。これらのアミンはヒドロカルビルアミンであってもよく、又は主としてヒドロカルビル基がその他の基、例えば、ヒドロキシ基、アルコキシ基、アミド基、ニトリル、イミダゾリン基等を含むヒドロカルビルアミンであってもよい。特に有益なアミン化合物として、モノアミン及びポリアミン、例えば、分子当り約１〜１２個、例えば、３〜１２個、好ましくは３〜９個の窒素原子を有する約２〜６０個、例えば、２〜４０個（例えば、３〜２０個）の合計炭素原子のポリアルケンポリアミン及びポリオキシアルキレンポリアミンが挙げられる。アミン化合物の混合物、例えば、アルキレンジハライドとアンモニアの反応により調製されたものが有利に使用し得る。好ましいアミンは、例えば、１，２−ジアミノエタン；１，３−ジアミノプロパン；１，４−ジアミノブタン；１，６−ジアミノヘキサン；ジエチレントリアミンの如きポリエチレンアミン；トリエチレンテトラミン；テトラエチレンペンタミン；及び１，２−プロピレンジアミンの如きポリプロピレンアミン；並びにジ−（１，２−プロピレン）トリアミンを含む、脂肪族飽和アミンである。
【００２１】
その他の有益なアミン化合物として、脂環式ジアミン、例えば、１，４−ジ（アミノメチル）シクロヘキサン及び複素環窒素化合物、例えば、イミダゾリンが挙げられる。アミンの別の有益なクラスは米国特許第４，８５７，２１７号、同第４，９５６，１０７号、同第４，９６３，２７５号、及び同第５，２２９，０２２号に開示されたようなポリアミドアミン及び関連アミドアミンである。また、米国特許第４，１０２，７９８号、同第４，１１３，６３９号、同第４，１１６，８７６号、及び英国特許第９８９，４０９号に記載されたようなトリス（ヒドロキシメチル）アミノメタン（ＴＡＭ）が使用可能である。デンドリマー、星状アミン、コーム構造のアミンがまた使用されてもよい。同様に、米国特許第５，０５３，１５２号に記載されたような縮合アミンを使用してもよい。官能化ポリマーは、例えば、米国特許第４，２３４，４３５号及び同第５，２２９，０２２号、並びにＥＰ−Ａ−２０８，５６０に記載されたような通常の技術を使用してアミン化合物と反応させられる。
【００２２】
また、官能化された、油溶性ポリマー炭化水素主鎖はヒドロキシ化合物、例えば、１価アルコール及び多価アルコール、又は芳香族化合物、例えば、フェノール及びナフトールで誘導体化されてもよい。好ましい多価アルコールとして、アルキレン基が２〜８個の炭素原子を含むアルキレングリコールが挙げられる。その他の有益な多価アルコールとして、グリセロール、グリセロールのモノ−オレエート、グリセロールのモノステアレート、グリセロールのモノメチルエーテル、ペンタエリスリトール、ジペンタエリスリトール、及びこれらの混合物が挙げられる。また、エステル分散剤は不飽和アルコール、例えば、アリルアルコール、シンナミルアルコール、プロパルギルアルコール、１−シクロヘキサン−３−オール、及びオレイルアルコールから誘導されてもよい。無灰分散剤を生じることができるアルコールの更に別のクラスはオキシ−アルキレン及びオキシ−アリーレンを含むエーテル−アルコールを含む。このようなエーテル−アルコールは１５０までのオキシ−アルキレン基を有するエーテル−アルコール（そのアルキレン基は１〜８個の炭素原子を含む）により例示される。エステル分散剤はコハク酸のジ−エステル又は酸−エステル、即ち、部分エステル化コハク酸、並びに部分エステル化多価アルコール又はフェノール、即ち、遊離アルコール又はフェノールヒドロキシ基を有するエステルであってもよい。エステル分散剤は、例えば、米国特許第３，３８１，０２２号に記載されたような幾つかの既知の方法のいずれか一つにより調製し得る。
【００２３】
分散剤の好ましいグループとして、ポリアミン誘導体化ポリα−オレフィン分散剤、特にエチレン／ブテンα−オレフィン分散剤及びポリイソブチレンをベースとする分散剤が挙げられる。無水コハク酸基で置換されたポリイソブチレンから誘導され、ポリエチレンアミン、例えば、ポリエチレンジアミン、テトラエチレンペンタミン；又はポリオキシアルキレンポリアミン、例えば、ポリオキシプロピレンジアミン、トリメチロールアミノメタン；ヒドロキシ化合物、例えば、ペンタエリスリトール；及びこれらの組み合わせと反応させられた無灰分散剤が特に好ましい。一つの特に好ましい分散剤組み合わせは（Ａ）１モル当り約０．３〜約２モルの（Ｂ）、（Ｃ）及び／又は（Ｄ）を使用して（Ｂ）ヒドロキシ化合物、例えば、ペンタエリスリトール；（Ｃ）ポリオキシアルキレンポリアミン、例えば、ポリオキシプロピレンジアミン、又は（Ｄ）ポリアルキレンジアミン、例えば、ポリエチレンジアミン及びテトラエチレンペンタミンと反応させられた（Ａ）無水コハク酸基で置換されたポリイソブチレンの組み合わせである。別の好ましい分散剤組み合わせは（Ａ）ポリイソブテニル無水コハク酸と（Ｂ）ポリアルキレンポリアミン、例えば、テトラエチレンペンタミン、及び（Ｃ）米国特許第３，６３２，５１１号に記載されたような多価アルコール又はポリヒドロキシ置換脂肪族一級アミン、例えば、ペンタエリスリトール又はトリスメチロールアミノメタンとの組み合わせを含む。
【００２４】
無灰分散剤の別のクラスとして、マンニッヒ塩基縮合生成物が挙げられる。一般に、これらの生成物は、例えば、米国特許第３，４４２，８０８号に開示されたように、約１モルのアルキル置換モノヒドロキシベンゼン又はポリヒドロキシベンゼンを約１〜２．５モルの一種以上のカルボニル化合物（例えば、ホルムアルデヒド及びパラホルムアルデヒド）及び約０．５〜２モルのポリアルキレンポリアミンと縮合することにより調製される。このようなマンニッヒ塩基縮合生成物はベンゼン基の置換基としてメタロセン触媒重合のポリマー生成物を含んでもよく、又は米国特許第３，４４２，８０８号に記載された様式と同様の様式で無水コハク酸で置換されたこのようなポリマーを含む化合物と反応させられてもよい。メタロセン触媒系を使用して合成された官能化され、かつ／又は誘導体化されたオレフィンポリマーの例が上記刊行物に記載されている。
【００２５】
分散剤は種々の通常の後処理、例えば、一般に米国特許第３，０８７，９３６号及び同第３，２５４，０２５号に教示されたような、ボレーションにより更に後処理し得る。分散剤のボレーションはアシル窒素含有分散剤をアシル化窒素組成物１モルについて約０．１〜約２０原子比のホウ素を与えるのに充分な量の、ホウ素化合物、例えば、ホウ素酸化物、ホウ素ハライドホウ素酸、及びホウ素酸のエステルで処理することにより容易に行なわれる。有益な分散剤は約０．０５重量％〜約２．０重量％、例えば、約０．０５重量％〜約０．７重量％のホウ素を含む。ホウ素（これは脱水ホウ酸ポリマー（主として（ＨＢＯ２）３）として生成物中に現れる）はアミン塩、例えば、ジイミドのメタホウ酸塩として分散剤イミド及びジイミドに結合すると考えられる。ボレーションは約０．５重量％〜４重量％、例えば、約１重量％〜約３重量％（アシル窒素化合物の重量を基準として）のホウ素化合物、好ましくはホウ酸を通常スラリーとしてアシル窒素化合物に添加し、撹拌しながら約１３５℃〜約１９０℃、例えば、１４０℃〜１７０℃で約１時間〜約５時間加熱し、続いて窒素ストリッピングすることにより行ない得る。また、ホウ素処理は水を除去しながらホウ酸をジカルボン酸物質とアミンの熱い反応混合物に添加することにより行ない得る。当業界で普通に知られているその他の後反応方法がまた適用し得る。
本発明の組成物の第三の必須成分は下記の式：
【００２６】
【化３】
2004522837.tif 000004
【００２７】
の置換芳香族ヒドロカルビルオリゴマーである。
式Ｉ中、夫々の部分Ａｒは必要により置換されていてもよい芳香族基を表し、夫々のＬは炭素−炭素単結合又は結合基である結合部分であり、ｎは約２〜約１０００の数であり、かつ夫々のＴは末端基である。芳香族基（Ａｒ）の少なくとも２５％が少なくとも２個の結合部分（Ｌ）に連結される。置換芳香族ヒドロカルビルオリゴマー中の脂肪族炭素原子の合計数対芳香族環原子の比は約０．１０：１から約４０：１までである。
式Ｉの芳香族基Ａｒは多核炭素環基又は単核もしくは多核の複素環基であってもよい。多核炭素環基は２個以上の縮合環を含んでもよく、夫々の環が４〜１０個の炭素原子を有する（例えば、ナフタレン）。好適な炭素環多核基はまた結合された単核芳香族基、例えば、ビフェニルであってもよく、又は結合された、縮合環（例えば、ビナフチル）を含んでもよい。好適な多核炭素環芳香族基の例として、ナフタレン、アントラセン、フェナントレン、シクロペンテノフェナントレン、ベンズアントラセン、ジベンズアントラセン、クリセン、ピレン、ベンズピレン及びコロネン並びにこれらの二量体、三量体及び高級ポリマーが挙げられる。複素環基Ａｒとして、Ｎ、Ｏ及びＳから選ばれた１個以上のヘテロ原子を含む、４〜１０個の原子を夫々含む１個以上の環を含む複素環が挙げられる。好適な単環式複素環芳香族基の例として、ピロール、フラン、チオフェン、イミダゾール、オキサゾール、チアゾール、ピラゾール、ピリジン、ピリミジン及びプリンが挙げられる。好適な多核複素環基Ａｒとして、例えば、キノリン、イソキノリン、カルバゾール、ジピリジル、シノリン、フタラジン、キナゾリン、キノキサリン及びフェナントロリンが挙げられる。夫々の芳香族基（Ａｒ）は全ての基（Ａｒ）が同じであり、又は異なるように独立に選ばれてもよい。好ましい多核炭素環芳香族基はナフタレンである。多環式複素環が単環式複素環よりも好ましい。好ましい複素環芳香族基はキノリンである。
【００２８】
夫々の芳香族基Ａｒは独立に置換されていなくてもよく、又はＨ、−ＯＲ１、−Ｎ（Ｒ１）２、Ｆ、Ｃｌ、Ｂｒ、Ｉ、−（Ｌ−（Ａｒ）−Ｔ）、−Ｓ（Ｏ）ｗＲ１、−（ＣＺ）ｘ−（Ｚ）ｙ−Ｒ１及び−（Ｚ）ｙ−（ＣＺ）ｘ−Ｒ１〔式中、ｗは０〜３であり、夫々のＺは独立にＯ、−Ｎ（Ｒ１）２又はＳであり、ｘ及びｙは独立に０又は１であり、夫々のＲ１は独立にＨ又は必要により−ＯＲ２、−Ｎ（Ｒ２）２、Ｆ、Ｃｌ、Ｂｒ、Ｉ、−Ｓ（Ｏ）ｗＲ２、−（ＣＺ）ｘ−（Ｚ）ｙ−Ｒ２及び−（Ｚ）ｙ−（ＣＺ）ｘ−Ｒ２（式中、ｗ、ｘ、ｙ及びＺは先に定義されたとおりであり、Ｒ２は１〜約２００個の炭素原子を有するヒドロカルビル基である）から選ばれた一つ以上の基で一置換又は多置換されていてもよい、１〜約２００個の炭素原子を有する線状又は分岐、飽和又は不飽和ヒドロカルビル基であり、かつＴは末端基である〕から選ばれた１〜６個の基により置換されていてもよい。芳香族基（Ａｒ）の少なくとも６０％がＨ以外の前記置換基の少なくとも一つで置換されていることが好ましい。オリゴマーは置換されて約０．１０：１から約４０：１まで、好ましくは約０．１０：１から約１５：１まで、最も好ましくは約４：１から約７：１までである脂肪族炭素の合計数対芳香族環原子の合計数の比を与える必要がある。
【００２９】
夫々の結合基（Ｘ）は同じであってもよく、また異なっていてもよく、隣接部分Ａｒの炭素原子間の炭素−炭素単結合、又は結合基であってもよい。好適な結合基として、アルキレン結合、例えば、−Ｒ３−、エーテル結合、例えば、−Ｏ−、−Ｏ（Ｒ３）−、−Ｏ−（（Ｒ３）−Ｏ）ａ−及び−（（Ｒ３）−Ｏ）ａ−（Ｒ３）−；−（ＣＯ）２−、−（ＣＯ）−（Ｒ３）−、−（ＣＯ）−（（Ｒ３）−（ＣＯ））ａ、−（ＣＯ）−（（Ｒ３）−（ＣＯ））ａ−（Ｒ３）−及び−（（Ｒ３）−（ＣＯ））ａ−（Ｒ３）−を含む、アシル結合；エステル結合、例えば、−（ＣＯ２）−、−（ＣＯ２）−Ｒ３）−、−（ＣＯ２）−（（Ｒ３）−（ＣＯ２））ａ−、−（ＣＯ２）−（（Ｒ３）−（ＣＯ））ａ−（Ｒ３）−、−（（Ｒ３）−（ＣＯ２）ａ−（Ｒ３）−、−（ＯＣＯ）−（Ｒ３）−、−（ＯＣＯ）−（（Ｒ３）−（ＯＣＯ））ａ−、及び−（ＯＣＯ）−（（Ｒ３）−（ＣＯ３））ａ−；−（ＣＯ２ＣＯ）−、−（Ｒ３）−（ＣＯ２ＣＯ）−及び−（Ｒ３）−（ＣＯ２ＣＯ）−（Ｒ３）−を含む、酸無水物結合；エーテル−アシル結合、例えば、−Ｏ−（Ｒ３）−（ＣＯ）−、−（Ｒ３）−Ｏ−（Ｒ３）−（ＣＯ）−、−Ｏ−（Ｒ３）−（ＣＯ）−（Ｒ３）−及び−（Ｒ３）−Ｏ−（Ｒ３）−（ＣＯ）−（Ｒ３）−；エーテル−エステル結合、例えば、−Ｏ−（Ｒ３）−（ＣＯ２）−、−（Ｒ３）−Ｏ−（Ｒ３）−（ＣＯ２）−、−Ｏ−（Ｒ３）−（ＣＯ２）−（Ｒ３）−、−（Ｒ３）−Ｏ−（Ｒ３）−（ＣＯ２）−（Ｒ３）−、−Ｏ−（Ｒ３）−（ＯＣＯ）−、−（Ｒ３）−Ｏ−（Ｒ３）−（ＯＣＯ）−、−Ｏ−（Ｒ３）−（ＯＣＯ）−（Ｒ３）−、及び−（Ｒ３）−Ｏ−（Ｒ３）−（ＯＣＯ）−（Ｒ３）−；−（ＣＯ）−（Ｒ３）−（ＣＯ２）−、−（Ｒ３）−（ＣＯ）−（Ｒ３）−（ＣＯ２）−、−（ＣＯ）−（Ｒ３）−（ＣＯ２）−（Ｒ３）−、−（Ｒ３）−（ＣＯ）−（Ｒ３）−（ＣＯ２）−（Ｒ３）−、−（ＣＯ）−（Ｒ３）−（ＯＣＯ）−、−（Ｒ３）−（ＣＯ）−（Ｒ３）−（ＯＣＯ）−、−（ＣＯ）−（Ｒ３）−（ＯＣＯ）−（Ｒ３）−、及び−（Ｒ３）−（ＣＯ）−（Ｒ３）−（ＯＣＯ）−（Ｒ３）−を含む、アシル−エステル結合；アミノ結合、例えば、−Ｎ（Ｒ１）−、−Ｎ（Ｒ１）−（Ｒ３）−、−Ｎ（Ｒ１）−（（Ｒ３）−Ｎ（Ｒ１））ａ−、及び−（（Ｒ３）−Ｎ（Ｒ１））ａ−（Ｒ３）−；アミド結合、例えば、−Ｎ（Ｒ１）−（ＣＯ）−、−Ｎ（Ｒ１）−（ＣＯ）−（Ｒ３）−（ＣＯ）−Ｎ（Ｒ１）−、−（ＣＯ）−Ｎ（Ｒ１）−（Ｒ３）−Ｎ（Ｒ１）−（ＣＯ）−、−（ＣＯ）−Ｎ（Ｒ１）−（Ｒ３）−（ＣＯ）−Ｎ（Ｒ１）−、−（Ｒ３）−Ｎ（Ｒ１）−（ＣＯ）−（Ｒ３）−（ＣＯ）−Ｎ（Ｒ１）−（Ｒ３）−、−（Ｒ３）−（ＣＯ）−Ｎ（Ｒ１）−（Ｒ３）−Ｎ（Ｒ１）−（ＣＯ）−（Ｒ３）−及び−（Ｒ３）−（ＣＯ）−Ｎ（Ｒ１）−（Ｒ３）−（ＣＯ）−Ｎ（Ｒ１）−（Ｒ３）−；カルバミド結合、例えば、−Ｎ（Ｒ１）−（ＣＯ）−Ｎ（Ｒ１）−、−（Ｒ３）−Ｎ（Ｒ１）−（ＣＯ）−Ｎ（Ｒ１）−、−（Ｒ３）−Ｎ（Ｒ１）−（ＣＯ）−Ｎ（Ｒ１）−（Ｒ３）−；−Ｎ（Ｒ１）−（ＣＯ２）−、−（Ｒ３）−Ｎ（Ｒ１）−（ＣＯ２）−、−Ｎ（Ｒ１）−（ＣＯ２）−（Ｒ３）−、及び−（Ｒ３）−Ｎ（Ｒ１）−（ＣＯ２）−（Ｒ３）−を含む、ウレタン結合；
【００３０】
並びに硫黄結合、例えば、−Ｓｃ−、−（Ｒ３）−Ｓｃ−、−（Ｒ３）−Ｓｃ−（Ｒ３）−、−ＳＯｄ−、−（Ｒ３）−ＳＯｄ−、−ＳＯｄ−〔（Ｒ３）−ＳＯｄ〕ａ−、−ＳＯｄ−〔（Ｒ３）−ＳＯｄ〕ａ−（Ｒ３）−及び−〔（Ｒ３）−ＳＯｄ〕ａ−（Ｒ２）−が挙げられ、式中、Ｒ１は先に定義されたとおりであり、夫々のＲ３は独立に必要によりＯＲ１、Ｎ（Ｒ１）２、Ｆ、Ｃｌ、Ｂｒ、Ｉ、Ｓ（Ｏ）ｗＲ１、（ＣＺ）ｘ−（Ｚ）ｙ−Ｒ１、（Ｚ）ｙ−（ＣＺ）ｘ−Ｒ１（式中、ｗ及びＺは先に定義されたとおりである）で一置換又は多置換されていてもよい、１個〜約１００個の炭素原子、更に好ましくは１個〜約３０個の炭素原子、最も好ましくは１個〜約１０個の炭素原子を有する線状又は分岐、飽和又は不飽和ヒドロカルビル基であり、ａは約１から約４０までであり、ｂは１又は２であり、ｃは約１から約８までであり、かつｄは約１から約３までである。
好ましい結合基はアルキレン結合、例えば、−ＣＨ３ＣＨＣ（ＣＨ３）２、又は−Ｃ（ＣＨ３）２−；ジアシル結合、例えば、−ＣＯＣＯ−又は−ＣＯ（ＣＨ２）４ＣＯ−；及び硫黄結合、例えば、−Ｓ１−又は−Ｓ２−である。芳香族基（Ａｒ）がＯＨ置換基で置換されている場合、好ましい結合基は−ＣＨ２−である。結合部分（Ｌ）中の脂肪族原子及び芳香族炭素原子の数はオリゴマーについて脂肪族炭素対芳香族炭素の比を計算する場合に含まれる。
夫々の末端基（Ｔ）は独立にＨ、ＯＲ１、−Ｎ（Ｒ１）２、Ｆ、Ｃｌ、Ｂｒ、Ｉ、Ｓ（Ｏ）ｗＲ１、（ＣＺ）ｘ−（Ｚ）ｙ−Ｒ１又は−（Ｚ）ｙ−（ＣＺ）ｘ−Ｒ１（式中、Ｒ１、ｗ、ｘ、ｙ及びＺは先に定義されたとおりである）から選ばれる。
【００３１】
式Ｉの化合物の生成方法は当業者に明らかであるべきである。芳香族基Ａｒは結合の前又はそれに続いて、例えば、アルキル化により置換されてもよい。式Ｉのオリゴマーを生成するために、個々の芳香族基Ａｒはポリハロゲン化（好ましくはジハロゲン化）炭化水素（例えば、１，４−ジクロロブタン、２，２−ジクロロプロパン等）、又はジオレフィンもしくはポリオレフィン（例えば、ブタジエン、イソプレン、１，４−ヘキサジエン、１，５−ヘキサジエン等）と反応させられてアルキレン結合基を有する式Ｉの化合物を生じ得る。芳香族基Ａｒとケトン又はアルデヒド（例えば、ホルムアルデヒド、アセトン、ベンゾフェノン、アセトフェノン等）の反応はアルキレン結合化合物を与える。アシル結合化合物は芳香族基Ａｒをジ酸又は酸無水物（例えば、シュウ酸、マロン酸、コハク酸、グルタル酸、アジピン酸、無水コハク酸等）と反応させることにより生成し得る。スルフィド結合、ポリスルフィド結合、スルフィニル結合及びスルホニル結合は芳香族基Ａｒを好適な２官能性硫化剤（例えば、一塩化硫黄、二塩化硫黄、塩化チオニル（ＳＯＣｌ２）、塩化スルフリル（ＳＯ２Ｃｌ２）等）と反応させることにより得られる。
【００３２】
アルキレンエーテル結合を有する式Ｉの化合物を得るために、ヒドロキシ置換芳香族基Ａｒがジハライド（例えば、１，２−ジクロロエタン、１，３−ジヨードプロパン、１，６−ジクロロヘキサン等）と反応させられる。Ｘが直接炭素−炭素結合である式Ｉのオリゴマーは、例えば、Ｐ． Ｋｏｖａｃｉｃら， Ｊ． Ｐｏｌｙｍｅｒ Ｓｃｉｅｎｃｅ： Ｐｏｌｙｍｅｒ Ｃｈｅｍ． Ｅｄ．， ２１， ４５７ （１９８３）により記載されたように、塩化アルミニウムと塩化第一銅の混合物を使用する酸化カップリング重合により生成し得る。また、このようなオリゴマーは、例えば、“セシウム／ナノ多孔質カーボン触媒による接触ベンゼンカップリング”， Ｍ．Ｇ． Ｓｔｅｖｅｎｓ， Ｋ．Ｍ． Ｓｅｌｌｅｒｓ， Ｓ． Ｓｕｂｒａｍｏｎｅｙ及びＨ．Ｃ． Ｆｏｌｅｙ， Ｃｈｅｍｉｃａｌ Ｃｏｍｍｕｎｉｃａｔｉｏｎｓ， ２６７９−２６８０ （１９８８）に記載されたように芳香族基Ａｒとアルカリ金属を反応させることにより生成し得る。式Ｉの置換芳香族オリゴマーの重合度は２から約１，０００まで（１から約９９８までのｎの値に相当する）、好ましくは約５から約２００まで、最も好ましくは約１０から約５０までである。
式Ｉの新規化合物として、夫々のＡｒが独立に必要によりＨ、−ＯＲ４、−Ｎ（Ｒ４）２、Ｆ、Ｃｌ、Ｂｒ、Ｉ、−（Ｌ−（Ａｒ）−Ｔ）、−Ｓ（Ｏ）ｗＲ４、−（ＣＺ）ｘ−（Ｚ）ｙ−Ｒ４及び−（Ｚ）ｙ−（ＣＺ）ｘ−Ｒ４〔式中、ｗは０〜３であり、夫々のＺは独立にＯ、−Ｎ（Ｒ４）２又はＳであり、ｘ及びｙは独立に０又は１であり、かつ夫々のＲ４は独立にＨ、メチル、エチル、プロピル又は必要により−ＯＲ４、−Ｎ（Ｒ４）２、Ｆ、Ｃｌ、Ｂｒ、Ｉ、−Ｓ（Ｏ）ｗＲ４、−（ＣＺ）ｘ−（Ｚ）ｙ−Ｒ４及び−（Ｚ）ｙ−（ＣＺ）ｘ−Ｒ４（式中、ｗ、ｘ、ｙ、Ｔ、Ｒ４及びＺは先に定義されたとおりである）から選ばれた一つ以上の基で一置換又は多置換されていてもよい、３〜２００個の炭素原子を有する分岐ヒドロカルビル基である〕から選ばれた１〜４個の置換基により置換されていてもよい芳香族基を表す化合物が挙げられる。
【００３３】
すす誘発増粘の適切な調節のために、高分子量分散剤は完成潤滑剤の合計質量を基準として、５〜１２質量％の量で通常添加される。これらの分散剤は典型的には約１重量％の窒素含量を有する。こうして、典型的な潤滑剤組成物は分散剤からの約０．１０重量％から約０．１２重量％までの窒素を含むであろう。対照的に、約０．００５〜１０重量％（好ましくは約０．１〜約５重量％、更に好ましくは約０．５〜約２重量％）の式Ｉのオリゴマーを含む完成潤滑剤はわずかに約２．５〜約９．５重量％、好ましくは約２〜３重量％の分散剤で匹敵するすす分散特性を与え、これは潤滑剤組成物にわずかに約０．０２５〜約０．０９５重量％、好ましくは約０．０２〜約０．０３重量％の窒素を添加する。一般に、式Ｉのオリゴマーの量の夫々０．５重量％の増加は必要とされる分散剤の量の２．５重量％までの減少を可能にし得る。本発明の好ましい潤滑油組成物は約０．００８〜約０．３２重量％の窒素を与える量の高分子量分散剤、及び潤滑油組成物の合計重量を基準として約０．００５〜約１０重量％の量の式Ｉのオリゴマーを含んでもよい。
【００３４】
その他の添加剤成分
付加的な添加剤が本発明の組成物に混入されてそれらを特別な要件を満たすようにし得る。潤滑油組成物に含まれてもよい添加剤の例は洗剤、金属防錆剤、粘度指数改良剤、腐蝕抑制剤、酸化抑制剤、摩擦改質剤、その他の分散剤、消泡剤、耐磨耗剤及び流動点降下剤である。幾つかが以下に更に詳しく説明される。
金属含有洗剤又は灰形成洗剤は付着物を減少又は除去するための洗剤及び酸中和剤又は防錆剤の両方として作用し、それにより磨耗及び腐蝕を軽減し、エンジン寿命を延長する。洗剤は一般に長い疎水性尾部とともに極性ヘッドを含み、その極性ヘッドは酸性有機化合物の金属塩を含む。塩は実質的に化学量論量の金属を含んでもよく、その場合、それらは通常の塩又は中性塩と通常記載され、典型的には０から８０までの全アルカリ価即ちＴＢＮ（ＡＳＴＭ Ｄ２８９６により測定し得るような）を有するであろう。多量の金属塩基が過剰の金属化合物（例えば、酸化物又は水酸化物）を酸性ガス（例えば、二酸化炭素）と反応させることにより混入し得る。得られる過塩基化洗剤は金属塩基（例えば、炭酸塩）ミセルの外層として中和された洗剤を含む。このような過塩基化洗剤は１５０以上のＴＢＮを有してもよく、典型的には２５０から４５０以上までのＴＢＮを有するであろう。
【００３５】
使用し得る洗剤として、金属、特にアルカリ金属又はアルカリ土類金属、例えば、ナトリウム、カリウム、リチウム、カルシウム、及びマグネシウムの油溶性の中性及び過塩基化スルホネート、フェネート、硫化フェネート、チオホスホネート、サリチレート、及びナフテネート並びにその他の油溶性カルボキシレートが挙げられる。最も普通に使用される金属はカルシウム及びマグネシウム（これらは両方とも潤滑剤中に使用される洗剤中に存在してもよい）、並びにカルシウム及び／又はマグネシウムとナトリウムの混合物である。特に便利な金属洗剤は２０〜４５０ＴＢＮのＴＢＮを有する中性及び過塩基化カルシウムスルホネート、並びに５０〜４５０のＴＢＮを有する中性及び過塩基化カルシウムフェネート及び硫化フェネートである。洗剤（過塩基化もしくは中性又はその両方を問わない）の組み合わせが使用されてもよい。
スルホネートはスルホン酸（これらは典型的にはアルキル置換芳香族炭化水素、例えば、石油の分別から得られ、又は芳香族炭化水素のアルキル化により得られた炭化水素のスルホン化により得られる）から調製し得る。例として、ベンゼン、トルエン、キシレン、ナフタレン、ジフェニル又はそれらのハロゲン誘導体、例えば、クロロベンゼン、クロロトルエン及びクロロナフタレンをアルキル化することにより得られたものが挙げられる。そのアルキル化は触媒の存在下で約３個から７０個以上までの炭素原子を有するアルキル化剤を用いて行ない得る。アルカリールスルホネートはアルキル置換芳香族基当り約９個から約８０個以上までの炭素原子、好ましくは約１６個から約６０個までの炭素原子を通常含む。
【００３６】
油溶性スルホネート又はアルカリールスルホン酸は金属の酸化物、水酸化物、アルコキシド、炭酸塩、カルボキシレート、硫化物、水硫化物、硝酸塩、ホウ酸塩及びエーテルで中和されてもよい。金属化合物の量は最終製品の所望のＴＢＮに関して選ばれるが、典型的には化学量論上必要とされる量の約１００〜２２０重量％（好ましくは少なくとも１２５重量％）の範囲である。
フェノール及び硫化フェノールの金属塩は適当な金属化合物、例えば、酸化物又は水酸化物との反応により調製され、中性又は過塩基化生成物は当業界で公知の方法により得られてもよい。硫化フェノールはフェノールを硫黄又は硫黄含有化合物、例えば、硫化水素、モノハロゲン化硫黄もしくはジハロゲン化硫黄と反応させて、一般に２以上のフェノールが硫黄含有ブリッジによりブリッジされる化合物の混合物である生成物を生成することにより調製されてもよい。
【００３７】
ジヒドロカルビルジチオホスフェート金属塩が耐磨耗剤及び酸化防止剤として頻繁に使用される。金属はアルカリ金属もしくはアルカリ土類金属、又はアルミニウム、鉛、スズ、モリブデン、マンガン、ニッケルもしくは銅であってもよい。亜鉛塩が潤滑油組成物の合計量を基準として、０．１〜１０重量％、好ましくは０．２〜２重量％の量で潤滑油中に最も普通に使用される。それらは既知技術に従って最初に通常一種以上のアルコール又はフェノールとＰ２Ｓ５の反応により、ジヒドロカルビルジチオリン酸（ＤＤＰＡ）を生成し、次いで生成されたＤＤＰＡを亜鉛化合物で中和することにより調製し得る。例えば、ジチオリン酸は一級アルコールと二級アルコールの混合物を反応させることによりつくられてもよい。また、一方のヒドロカルビル基が完全に二級の特性であり、他方のヒドロカルビル基が完全に一級の特性である場合、多種のジチオリン酸が調製し得る。亜鉛塩をつくるために、あらゆる塩基性又は中性の亜鉛化合物が使用し得るが、酸化物、水酸化物及び炭酸塩が最も一般に使用される。市販の添加剤は中和反応中の過剰の塩基性亜鉛化合物の使用のために過剰の亜鉛を頻繁に含む。
好ましい亜鉛ジヒドロカルビルジチオホスフェートはジヒドロカルビルジチオリン酸の油溶性塩であり、下記の式：
【００３８】
【化４】
2004522837.tif 000005
【００３９】
（式中、Ｒ及びＲ’は１〜１８個、好ましくは２〜１２個の炭素原子を含み、アルキル基、アルケニル基、アリール基、アリールアルキル基、アルカリール基及び脂環式基の如き基を含む同じ又は異なるヒドロカルビル基であってもよい）
により表し得る。２〜８個の炭素原子のアルキル基がＲ基及びＲ’基として特に好ましい。こうして、これらの基は、例えば、エチル、ｎ−プロピル、ｉ−プロピル、ｎ−ブチル、ｉ−ブチル、ｓｅｃ−ブチル、アミル、ｎ−ヘキシル、ｉ−ヘキシル、ｎ−オクチル、デシル、ドデシル、オクタデシル、２−エチルヘキシル、フェニル、ブチルフェニル、シクロヘキシル、メチルシクロペンチル、プロペニル、ブテニルであってもよい。油溶性を得るために、ジチオリン酸中の炭素原子（即ち、Ｒ及びＲ’）の合計数は一般に約５以上であろう。それ故、亜鉛ジヒドロカルビルジチオホスフェートは亜鉛ジアルキルジチオホスフェートを含み得る。本発明は組成物の合計重量を基準として、約０．０２〜約０．１２重量％、好ましくは約０．０３〜約０．１０重量％のリンレベルを含む潤滑剤組成物とともに使用される場合に特に有益であり得る。
【００４０】
酸化抑制剤又は酸化防止剤は鉱油が使用中に劣化する傾向を軽減する。酸化劣化は潤滑剤中のスラッジ、金属表面上のワニス状の付着物、及び増粘により証明し得る。このような酸化抑制剤として、ヒンダードフェノール、好ましくはＣ５−Ｃ１２アルキル側鎖を有するアルキルフェノールチオエステルのアルカリ土類金属塩、カルシウムノニルフェノールスルフィド、油溶性フェネート及び硫化フェネート、リン硫化又は硫化炭化水素、リンエステル、金属チオカルバメート、米国特許第４，８６７，８９０号に記載された油溶性銅化合物並びにモリブデン含有化合物が挙げられる。
窒素に直接結合された少なくとも二つの芳香族基を有する芳香族アミンが酸化防止に頻繁に使用される化合物の別のクラスを構成する。これらの物質は少量で使用されてもよいが、本発明の好ましい実施態様はこれらの化合物を含まない。それらはわずかに少量、即ち、０．４重量％まで使用されることが好ましく、又は避けられることが更に好ましいが、このような量以外の量が組成物の別の成分からの不純物として生じるかもしれない。
【００４１】
一つのアミン窒素に直接結合された少なくとも二つの芳香族基を有する典型的な油溶性芳香族アミンは６〜１６個の炭素原子を含む。これらのアミンは二つより多い芳香族基を含んでもよい。二つの芳香族基が共有結合又は原子もしくは基（例えば、酸素原子もしくは硫黄原子、又は−ＣＯ−、−ＳＯ２−もしくはアルキレン基）により結合されており、また二つが一つのアミン窒素に直接結合されている合計少なくとも三つの芳香族基を有する化合物が窒素に直接結合された少なくとも二つの芳香族基を有する芳香族アミンと考えられる。芳香族環は典型的にはアルキル基、シクロアルキル基、アルコキシ基、アリールオキシ基、アシル基、アシルアミノ基、ヒドロキシ基、及びニトロ基から選ばれた一つ以上の置換基により置換されている。一つのアミン窒素に直接結合された少なくとも二つの芳香族基を有するあらゆるこのような油溶性芳香族アミンの量は活性成分の０．４重量％を超えないことが好ましい。
【００４２】
好適な粘度改質剤の代表例はポリイソブチレン、エチレンとプロピレンのコポリマー、ポリメチルメタクリレート、メタクリレートコポリマー、不飽和ジカルボン酸とビニル化合物のコポリマー、スチレンとアクリルエステルの共重合体、並びにスチレン／イソプレン、スチレン／ブタジエン、及びイソプレン／ブタジエンの部分水添コポリマーだけでなく、ブタジエンとイソプレンの部分水添ホモポリマーである。
最終油のその他の成分と相溶性である摩擦改質剤及び燃費改良剤がまた含まれてもよい。このような物質の例として、高級脂肪酸のグリセリルモノエステル、例えば、グリセリルモノ−オレエート；ジオールとの長鎖ポリカルボン酸のエステル、例えば、二量体化不飽和脂肪酸のブタンジオールエステル；オキサゾリン化合物；並びにアルコキシル化アルキル置換モノ−アミン、ジアミン及びアルキルエーテルアミン、例えば、エトキシル化牛脂アミン及びエトキシル化牛脂エーテルアミンが挙げられる。
【００４３】
粘度指数改良剤分散剤は粘度指数改良剤及び分散剤の両方として作用する。粘度指数改良剤分散剤の例として、アミン、例えば、ポリアミンとヒドロカルビル置換モノカルボン酸又はジカルボン酸（そのヒドロカルビル置換基は粘度指数改良特性を化合物に付与するのに充分な長さの鎖を含む）との反応生成物が挙げられる。一般に、粘度指数改良剤分散剤は、例えば、ビニルアルコールのＣ４−Ｃ２４不飽和エステルもしくはＣ３−Ｃ１０不飽和モノカルボン酸又はＣ４−Ｃ１０ジカルボン酸と４〜２０個の炭素原子を有する不飽和窒素含有モノマーのポリマー；Ｃ２−Ｃ２０オレフィンとアミン、ヒドロキシアミン又はアルコールで中和された不飽和Ｃ３−Ｃ１０モノカルボン酸又はジカルボン酸とのポリマー；又はＣ４−Ｃ２０不飽和窒素含有モノマーをグラフト化することにより、又は不飽和酸をポリマー主鎖にグラフト化し、次いでグラフト化された酸のカルボン酸基をアミン、ヒドロキシアミン又はアルコールと反応させることにより更に反応させられたエチレンとＣ３−Ｃ２０オレフィンのポリマーであってもよい。
流動点降下剤（それ以外に潤滑油流動性改良剤（ＬＯＦＩ）として知られている）は流体が流れ、又は注入し得る最低温度を低下する。このような添加剤は公知である。流体の低温流動性を改良する添加剤の典型的なものはＣ８−Ｃ１８ジアルキルフマレート／酢酸ビニルコポリマー、及びポリメタクリレートである。泡制御はポリシロキサン型の消泡剤、例えば、シリコーンオイル又はポリジメチルシロキサンにより与えられる。
【００４４】
上記添加剤の幾つかは複数の効果を与え得る。こうして、例えば、単一添加剤が分散剤−酸化抑制剤として作用し得る。このアプローチは公知であり、本明細書で更に説明される必要はない。
本発明において、ブレンドの粘度の安定性を維持する添加剤を含むことが必要であるかもしれない。こうして、極性基含有添加剤が前ブレンド段階で好適に低い粘度を達成するが、或る組成物が延長期間にわたって貯蔵された場合に粘度を増大することが観察された。この増粘を調節するのに有効である添加剤は先に開示されたような無灰分散剤の調製に使用されるモノカルボン酸もしくはジカルボン酸又は酸無水物との反応により官能化された長鎖炭化水素を含む。
潤滑組成物が一種以上の上記添加剤を含む場合、夫々の添加剤は典型的には添加剤がその所望の作用を与えることを可能にする量でベースオイルにブレンドされる。
添加剤を含む一種以上の添加剤濃厚物（濃厚物は時々添加剤パッケージと称される）を調製することが必須ではないが、望ましいかもしれず、それにより数種の添加剤が油に同時に添加されて潤滑油組成物を生成し得る。
最終の潤滑剤組成物は５〜２５質量％、好ましくは５〜１８質量％、典型的には１０〜１５質量％の濃厚物を使用してもよく、残部は潤滑粘度の油である。
潤滑組成物が上記添加剤の一種以上を含む場合、夫々の添加剤は典型的には添加剤がその所望の作用を与えることを可能にする量でベースオイルにブレンドされる。このような添加剤の代表的な有効量が、クランクケース潤滑剤中に使用される場合に、以下にリストされる。リストされる全ての値は活性成分の質量％として記載される。
【００４５】
【表１】
2004522837.tif 000006
【００４６】
本明細書に表される全ての重量％（特に示されない限り）は添加剤の活性成分（Ａ．Ｉ．）含量、及び／又はあらゆる添加剤パッケージ、もしくは配合物（これは夫々の添加剤のＡ．Ｉ．重量＋合計の油又は希釈剤の重量の合計であろう）の合計重量を基準とする。
本発明が以下の実施例を参考として更に理解され、実施例中、全ての部数は特に注意されない限り重量部である。
【００４７】
（実施例）
合成実施例Ａ
ナフタレンのアルキル化
約０．４モル（５１．２ｇ）のナフタレン、１．０モル（２５２ｇ）の１−オクタデセン、及びヘプタン２００ｍｌを反応フラスコに仕込む。三フッ化ホウ素約２ｇをその液体に吹き込み、窒素雰囲気下で撹拌した。次いで反応フラスコを４０℃に加熱してナフタレンを溶解した。その温度を１００℃に上昇し、反応混合物をこの温度で１時間にわたってソーキングした。次いで反応混合物を水酸化アンモニウム溶液で反応停止した。有機層を分離し、乾燥させ、真空下で２００℃でストリッピングした。Ｃ１３ ＮＭＲ分析はモノアルキル化ナフタレンとジアルキル化ナフタレンの混合物を示した。反応スキームを以下に示す。
【００４８】
【化５】
2004522837.tif 000007
【００４９】
合成実施例Ｂ
アルキル化ナフタレンの結合
塩化メチレン２００ｍｌ中のドデシルナフタレン（２９．６ｇ、０．１０モル）を５００ｍｌの丸底フラスコに仕込んだ。そのドデシルナフタレンを合成実施例Ａに記載された様式と同様の様式でナフタレン及びドデセンから誘導した。その溶液を撹拌しながら乾燥窒素のシールのもとに５℃に冷却した。無水塩化アルミニウム（１４．７ｇ）をその溶液に添加した。塩化メチレン１５０ｍｌ中の塩化アジポイル（１５．２ｇ、０．０８モル）の溶液を３０分間にわたって滴下して添加し、その混合物を５℃で１時間撹拌した。次いでその混合物を２時間にわたって室温に徐々に温めた。続いてその混合物を氷２００ｇに注いだ。有機層を分離ロート中で分離し、水、５％の重炭酸ナトリウム水溶液で連続して洗浄し、ロータリーエバポレーターでストリッピングして生成物２２．５ｇ（６２％）を得た。生成物の赤外スペクトルは共役芳香族ケトンの特徴の強い吸収を１６７６ｃｍ−１で示した。Ｃ１３−ＮＭＲと対にされた、ゲル透過クロマトグラフィーは生成物が三量体であることを示した。その反応スキームを以下に示す。
【００５０】
【化６】
2004522837.tif 000008
【００５１】
合成実施例Ｃ
キノリンのアルキル化
約１．０モル（１２９ｇ）のキノリン及び１．０モル（２５２ｇ）のオクタデセンを反応フラスコに仕込む。エンゲルハード・ケミカルズから得られた酸性クレーである、Ｆ−２０Ｘ約２０ｇを反応フラスコに添加し、その反応混合物を窒素雰囲気下で撹拌しながら１８０℃に徐々に加熱する。次いでその反応混合物をこの温度で４時間にわたってソーキングする。その反応混合物をヘプタン中で希釈し、濾過して固体触媒を分離する。次いでそのヘプタン溶液を窒素雰囲気下で１００℃で一定重量までストリッピングする。得られた生成物はＧＣ分析により示されるように一置換／二置換の混合物である。二置換生成物を主成分であると所望する場合、過剰のオレフィンを使用し得る。その反応スキームを以下に示す。
【００５２】
【化７】
2004522837.tif 000009
【００５３】
合成実施例Ｄ
アルキル化キノリンの結合
塩化メチレン２００ｍｌ中のオクタデシルキノリン約３８．１ｇ（０．１モル）を５００ｍｌの丸底フラスコに仕込んだ。その溶液を撹拌しながら乾燥窒素のシールのもとに５℃に冷却した。無水塩化アルミニウム（１４．７ｇ）をその溶液に添加した。塩化メチレン１５０ｍｌ中の塩化アジポニル（１５．２ｇ、０．０８モル）の溶液を３０分間にわたって滴下して添加し、その混合物を５℃で１時間撹拌した。次いでその混合物を２時間にわたって室温に徐々に温めた。続いてその混合物を氷２００ｇに注いだ。有機層を分離ロート中で分離し、水及び５％の重炭酸ナトリウム水溶液で連続して洗浄し、ロータリーエバポレーターでストリッピングして生成物２２．５ｇ（６２％）を得た。生成物の赤外スペクトルは共役芳香族ケトンの特徴の強い吸収を１６７６ｃｍ−１で示した。ゲル透過クロマトグラフィーは生成物が鎖当り平均で三つのアルキルキノリン単位を含むことを示した。その反応スキームを以下に示す。
【００５４】
【化８】
2004522837.tif 000010
【００５５】
実施例１
すす誘発増粘を調節する組成物の能力、ひいては、すすを懸濁状態に維持する組成物の能力はベンチ試験、例えば、ハークカーボンブラック試験を使用して測定し得る。ハークカーボンブラック試験は配合油を得るのにベースオイルと添加剤成分のブレンドを伴う。次いでカーボンブラック粉末を配合油に添加し、サンプルを一夜ブレンドする。次いでカーボンブラック分散液の粘度を０．１秒−１〜３０秒−１のせん断速度の範囲にわたってハークレオメーター中で測定する。典型的には、０．２６秒−１及び０．４５秒−１のせん断速度における粘度を比較のために使用する。
洗剤、酸化防止剤、耐磨耗剤及び４重量％（２％ＡＩ）の高分子量ＰＩＢＳＡ−ＰＡＭ分散剤を含む配合油を使用して、分散剤ブースターとしての本発明の結合芳香族オリゴマーの性能をハークレオメーター中で試験した。高分子量ＰＩＢＳＡ−ＰＡＭ分散剤を約２２００の分子量、及び約１．１のコハク酸化比を有するＰＩＢＳＡから誘導した。配合油を４．７６％のカーボンブラックレベルで試験した。１重量％及び２重量％の結合芳香族オリゴマー添加剤を含む配合油による結果を夫々図１及び図２に示す。結合芳香族オリゴマー添加剤は合成実施例Ｂに記載されたＣ１２アルキル化ナフタレンと塩化アジポニルのフリーデルクラフト反応の反応生成物であった。比較のために、同様の未結合アルキル化ナフタレンを１重量％及び２重量％で含む配合物、並びに４重量％（２％ＡＩ）の高分子量分散剤を含む配合物をまた試験した。図１及び図２に示された結果は、（Ａ）４重量％（２％ＡＩ）の高分子量分散剤及び１又は２重量％のアルキル化ナフタレンを含む配合物並びに（Ｂ）４重量％（２％ＡＩ）の高分子量分散剤のみを含む配合物と比較した場合に、本発明の４重量％（２％ＡＩ）の高分子量分散剤及び少量（１又は２重量％）の結合芳香族オリゴマーを含む配合物におけるすす誘発増粘の優れた調節（少なくとも７０％の粘度の低下）を明らかに実証する。
【００５６】
本明細書に記載された全ての特許、物品及びその他の物質の開示は参考としてこの明細書にそのまま含まれる。本発明の原理、好ましい実施態様及び操作の様式が以上の明細書に記載された。しかしながら、本件出願人が提示するのはそれらの発明であるが、開示された特別な実施態様に限定されると見なされるべきではない。何とならば、開示された実施態様は限定ではなく例示と見なされるからである。変化が本発明の精神から逸脱しないで当業者によりなされるかもしれない。
【図面の簡単な説明】
【図１】
高分子量分散剤を含む配合潤滑油；高分子量分散剤と本発明の１重量％のアルキル化、結合芳香族オリゴマーの組み合わせを含む配合潤滑油；及び高分子量分散剤と１重量％の比較の未結合アルキル化芳香族化合物の組み合わせを含む配合潤滑油における、ハークカーボンブラック試験を使用して測定された、すす誘発増粘をグラフで比較する。
【図２】
高分子量分散剤を含む配合潤滑油；高分子量分散剤と本発明の２重量％のアルキル化、結合芳香族オリゴマーの組み合わせを含む配合潤滑油；及び高分子量分散剤と１重量％の比較の未結合アルキル化芳香族化合物の組み合わせを含む配合潤滑油における、ハークカーボンブラック試験を使用して測定された、すす誘発増粘をグラフで比較する。
【図１】
2004522837.tif 000013
【図２】
2004522837.tif 000014
【国際公開パンフレット】
2004522837.tif 000015
2004522837.tif 000016
2004522837.tif 000017
2004522837.tif 000018
2004522837.tif 000019
2004522837.tif 000020
2004522837.tif 000021
2004522837.tif 000022
2004522837.tif 000023
2004522837.tif 000024
2004522837.tif 000025
2004522837.tif 000026
2004522837.tif 000027
2004522837.tif 000028
2004522837.tif 000029
2004522837.tif 000030
2004522837.tif 000031
2004522837.tif 000032
2004522837.tif 000033
2004522837.tif 000034
2004522837.tif 000035
2004522837.tif 000036
2004522837.tif 000037
2004522837.tif 000038
2004522837.tif 000039
2004522837.tif 000040
2004522837.tif 000041
2004522837.tif 000042
2004522837.tif 000043
2004522837.tif 000044
2004522837.tif 000045
【国際公開パンフレット（コレクトバージョン）】
2004522837.tif 000046
【国際調査報告】
2004522837.tif 000047
2004522837.tif 000048
2004522837.tif 000049
2004522837.tif 000050
2004522837.tif 000051